(57)【要約】      （修正有）【課題】蛍光ランプが両側エミッタレスの状態でも、管電圧検出によりインバータ及び蛍光ランプを保護する。【解決手段】蛍光ランプ３４の管電圧を検出する管電圧検出回路５０を備える。前記管電圧検出回路５０は管電圧の任意一方の負側電圧を検出する負側電圧検出回路５１と他方の正側電圧を検出する正側電圧検出回路５２を具備する。前記各検出回路の出力を受けてそれらの差分の信号を出力する差動増幅回路８０を備える。前記差動増幅回路８０の出力信号を前記制御回路２０に入れて前記差分の信号が設定値を越えたときに前記インバータの出力を制限する蛍光灯点灯装置である。前記負側電圧検出回路５１の出力電圧が所定値を越えたときにそのレベルを制限しそれにより前記負側電圧・正側電圧がともに増大した場合であっても前記差動増幅回路８０の出力信号を介して前記インバータの出力制限がなされるようにする。【選択図】      図１
2004165106.tif 000002
【特許請求の範囲】
【請求項１】
高周波電圧を出力するインバータを備える。前記インバータのスイッチング素子４１・４２をドライブする制御回路２０を備える。前記高周波電圧を受けて駆動する回路であって蛍光ランプ３４を含む点灯回路を備える。前記蛍光ランプ３４の管電圧を検出する管電圧検出回路５０を備える。前記管電圧検出回路５０は管電圧の任意一方の負側電圧を検出する負側電圧検出回路５１と他方の正側電圧を検出する正側電圧検出回路５２を具備し、前記各検出回路の出力を受けてそれらの差分の信号を出力する差動増幅回路８０を備える。前記差動増幅回路８０の出力信号を前記制御回路２０に入れて前記差分の信号が設定値を越えたときに前記インバータの出力を制限する蛍光灯点灯装置において、
前記負側電圧検出回路５１の出力電圧が所定値を越えたときにそのレベルを制限しそれにより前記負側電圧・正側電圧がともに増大した場合であっても前記差動増幅回路８０の出力信号を介して前記インバータの出力制限がなされるようにしたことを特徴とする蛍光灯点灯装置。
【請求項２】
周波数可変形の高周波電圧を出力するインバータを備え、前記インバータは直流電源１０と順直列一対のスイッチング素子４１・４２と前記スイッチング素子４１・４２をドライブする制御回路２０を具備し、前記スイッチング素子４１・４２の接続交点に接続されるコンデンサ３１、バラスト用インダクタ３２、共振用コンデンサ３３からなる直列共振回路を備え、前記共振用コンデンサ３３に並列接続される蛍光ランプ３４を備え、
また、前記バラスト用インダクタ３２と共振用コンデンサ３３の接続交点に接続される蛍光ランプ３４の管電圧を検出する管電圧検出回路５０を備え、前記管電圧検出回路５０は管電圧の負側電圧を検出する負側電圧検出回路５１、正側電圧を検出する正側電圧検出回路５２を具備し、各検出回路の出力を受けて信号を出力する差動増幅回路８０を備え、前記差動増幅回路８０の出力信号は前記制御回路２０に入力され、
前記負側電圧検出回路５１は直列接続される抵抗６１・６２と前記抵抗６２と並列接続されるダイオード６３を具備し、前記ダイオード６３は陰極が前記直流電源１０の負極に接続され、前記抵抗６１・６２の接続交点に接続されるコンデンサ６４を備え、前記コンデンサ６４に陽極が接続されるダイオード６５を備え、前記コンデンサ６４・ダイオード６５の接続交点に陰極が接続されるダイオード６６を備え、前記ダイオード６６の陽極は直流電源１０の負極に接続され、前記ダイオード６５の陰極に接続される抵抗６７を備え、前記抵抗６７の一方は直流電源１０の負極に接続され、前記抵抗６７と並列に接続されるコンデンサ６８を備え、前記正側電圧検出回路５２は、直列接続される抵抗７１・７２を備え、抵抗７２と並列接続されるダイオード７３を備え、前記ダイオード７３は陽極が直流電源１０の負極に接続され、前記抵抗７１・７２の接続交点に接続されるコンデンサ７４を備え、前記コンデンサ７４に陽極が接続されるダイオード７５を備え、前記コンデンサ７４とダイオード７５の接続交点に陰極が接続されるダイオード７６を備え、前記ダイオード７６の陽極は直流電源１０の負極に接続され、前記ダイオード７５の陰極に接続される抵抗７７を備え、前記抵抗７７の一方は直流電源１０の負極に接続され、前記抵抗７７と並列に接続されるコンデンサ７８を備えた回路において、
前記負側電圧検出回路５１の前記コンデンサ６８と並列に陽極側が前記直流電源１０の負極に接続するツェナーダイオード６９を備えたことを特徴とする蛍光灯点灯装置。
【発明の詳細な説明】
【０００１】
【発明の属する技術分野】
蛍光灯点灯装置における寿命末期ランプ検知に関する。
【０００２】
【従来の技術】
従来の技術について図２を用いて説明する。図２の回路は、周波数可変形の高周波電圧を出力するインバータを備え、前記インバータは直流電源１０を備え、順直列一対のスイッチング素子４１・４２を備え、前記スイッチング素子４１・４２をドライブする制御回路２０を備え、前記スイッチング素子４１・４２の接続交点に接続されるコンデンサ３１、バラスト用インダクタ３２、共振用コンデンサ３３からなる直列共振回路を備え、前記共振用コンデンサ３３に並列接続される蛍光ランプ３４を備える。
また、前記バラスト用インダクタ３２と共振用コンデンサ３３の接続交点に接続される蛍光ランプ３４の管電圧を検出する管電圧検出回路５０を備える。前記管電圧検出回路５０は管電圧の負側電圧を検出する負側電圧検出回路５１、正側電圧を検出する正側電圧検出回路５２を備え、各検出回路の出力を受けて信号を出力する差動増幅回路８０を備え、前記差動増幅回路８０の出力信号は前記制御回路２０に入力される。
【０００３】
前記負側電圧検出回路５１は、直列接続される抵抗６１・６２を備え、抵抗６２と並列接続されるダイオード６３を備え、前記ダイオード６３は陰極が直流電源１０の負極に接続される。前記抵抗６１・６２の接続交点に接続されるコンデンサ６４を備え、前記コンデンサ６４に陽極が接続されるダイオード６５を備え、前記コンデンサ６４とダイオード６５の接続交点に陰極が接続されるダイオード６６を備え、前記ダイオード６６の陽極は直流電源１０の負極に接続される。前記ダイオード６５の陰極に接続される抵抗６７を備え、前記抵抗６７の一方は直流電源１０の負極に接続される。前記抵抗６７と並列に接続されるコンデンサ６８を備える。
【０００４】
前記正側電圧検出回路５２は、直列接続される抵抗７１・７２を備え、抵抗７２と並列接続されるダイオード７３を備え、前記ダイオード７３は陽極が直流電源１０の負極に接続される。前記抵抗７１・７２の接続交点に接続されるコンデンサ７４を備え、前記コンデンサ７４に陽極が接続されるダイオード７５を備え、前記コンデンサ７４とダイオード７５の接続交点に陰極が接続されるダイオード７６を備え、前記ダイオード７６の陽極は直流電源１０の負極に接続される。前記ダイオード７５の陰極に接続される抵抗７７を備え、前記抵抗７７の一方は直流電源１０の負極に接続される。前記抵抗７７と並列に接続されるコンデンサ７８を備える。
【０００５】
負側電圧検出回路５１は、正弦波である管電圧の負側電圧のみを整流してコンデンサ６８両端に直流電圧が発生する。一方、正側電圧検出回路５２は、管電圧の正側電圧のみを整流してコンデンサ７８両端に直流電圧が発生する。
この回路において、蛍光ランプ３４が通常点灯時は、管電圧が図３（Ａ）に示すように正負対称波形となるため、負側電圧検出回路５１のコンデンサ６８両端電圧と正側電圧検出回路５２のコンデンサ７８両端電圧は等しくなる。従って差動増幅回路の出力には信号は発生しない。蛍光ランプ３４が片側エミッタレスの状態で点灯していると管電圧は図３（Ｂ）及び（Ｃ）に示すように正負非対称波形となる。
【０００６】
図３（Ｂ）に示すように負側電圧が大きい時は負側電圧検出回路５１のコンデンサ６８両端電圧は、正側電圧検出回路５２のコンデンサ７８両端電圧よりも高くなる。図３（Ｃ）に示すように正側電圧が大きい時は負側電圧検出回路５１のコンデンサ６８両端電圧は、正側電圧検出回路５２のコンデンサ７８両端電圧よりも低くなる。このように負側電圧検出回路５１のコンデンサ６８両端電圧と正側電圧検出回路５２のコンデンサ７８両端電圧に差が生じると差動増幅回路８０は信号を出力する。制御回路２０は、この信号を受けインバータの発振を停止させる。
これにより、蛍光ランプ３４が片側エミッタレスとなったときは、インバータ及び蛍光ランプ３４を保護することができる。しかし、蛍光ランプ３４が両側エミッタレス状態となったときの管電圧は図３（Ｄ）に示すように管電圧は大きくなるが正負対称波形となるため負側電圧検出回路５１のコンデンサ６８両端電圧と正側電圧検出回路５２のコンデンサ７８両端電圧は等しくなる。従って差動増幅回路の出力には信号は発生しない。このため、蛍光ランプ３４が両側エミッタレス状態となったときはインバータ及び蛍光ランプ３４の保護ができなくなる。
【０００７】
【発明が解決しようとする課題】
本発明は、蛍光ランプが両側エミッタレスの状態でも、管電圧検出によりインバータ及び蛍光ランプを保護することにある。
特に両側エミッタレス状態の時も管電圧非対称検知の機能が働き、その分だけ共用化がなされる簡単安価をとなる装置を提供する。
【０００８】
【課題を解決するための手段】
負側電圧検出回路５１のコンデンサ６８と並列に陽極側が直流電源１０の負極に接続するようにツェナーダイオード６９を接続する。このときのツェナー電圧を蛍光ランプ３４が通常のときはクリップせずに、両側エミッタレスのときはクリップする電圧に設定することにより、両側エミッタレスのように管電圧が大きく正負対称波形となる場合にはコンデンサ６８両端に発生する電圧がツェナーダイオード６９によりクリップされるため、コンデンサ６８両端電圧は、正側電圧検出回路５２のコンデンサ７８両端電圧よりも低くなる。このように負側電圧検出回路５１のコンデンサ６８両端電圧と正側電圧検出回路５２のコンデンサ７８両端電圧に差を生じさせることができる。
また、正側電圧検出回路５２のコンデンサ７８と並列に陽極側が直流電源１０の負極に接続するようにツェナーダイオード７９を接続した場合も同様である。
【０００９】
【発明の実施の形態】
図１を用いて本発明の実施形態を説明する。図１の蛍光灯点灯装置は高周波電圧を出力するインバータを備え、前記インバータのスイッチング素子４１・４２をドライブする制御回路２０を備え、前記高周波電圧を受けて駆動する回路であって蛍光ランプ３４を含む点灯回路を備え、前記蛍光ランプ３４の管電圧を検出する管電圧検出回路５０を備え、前記管電圧検出回路５０は管電圧の任意一方の負側電圧を検出する負側電圧検出回路５１と他方の正側電圧を検出する正側電圧検出回路５２を具備し、前記各検出回路の出力を受けてそれらの差分の信号を出力する差動増幅回路８０を備え、前記差動増幅回路８０の出力信号を前記制御回路２０に入れて前記差分の信号が設定値を越えたときに前記インバータの出力を制限する蛍光灯点灯装置において、
前記負側電圧検出回路５１の出力電圧が所定値を越えたときにそのレベルを制限しそれにより前記負側電圧・正側電圧がともに増大した場合であっても前記差動増幅回路８０の出力信号を介して前記インバータの出力制限がなされるようにしたことを特徴とする。
【００１０】
図１の蛍光灯点灯装置はより詳しくは次のようなものである。周波数可変形の高周波電圧を出力するインバータを備え、前記インバータは直流電源１０と順直列一対のスイッチング素子４１・４２と前記スイッチング素子４１・４２をドライブする制御回路２０を具備し、前記スイッチング素子４１・４２の接続交点に接続されるコンデンサ３１、バラスト用インダクタ３２、共振用コンデンサ３３からなる直列共振回路を備え、前記共振用コンデンサ３３に並列接続される蛍光ランプ３４を備え、
また、前記バラスト用インダクタ３２と共振用コンデンサ３３の接続交点に接続される蛍光ランプ３４の管電圧を検出する管電圧検出回路５０を備え、前記管電圧検出回路５０は管電圧の負側電圧を検出する負側電圧検出回路５１、正側電圧を検出する正側電圧検出回路５２を具備し、各検出回路の出力を受けて信号を出力する差動増幅回路８０を備え、前記差動増幅回路８０の出力信号は前記制御回路２０に入力され、
前記負側電圧検出回路５１は直列接続される抵抗６１・６２と前記抵抗６２と並列接続されるダイオード６３を具備し、前記ダイオード６３は陰極が前記直流電源１０の負極に接続され、前記抵抗６１・６２の接続交点に接続されるコンデンサ６４を備え、前記コンデンサ６４に陽極が接続されるダイオード６５を備え、前記コンデンサ６４・ダイオード６５の接続交点に陰極が接続されるダイオード６６を備え、前記ダイオード６６の陽極は直流電源１０の負極に接続され、前記ダイオード６５の陰極に接続される抵抗６７を備え、前記抵抗６７の一方は直流電源１０の負極に接続され、前記抵抗６７と並列に接続されるコンデンサ６８を備え、前記正側電圧検出回路５２は、直列接続される抵抗７１・７２を備え、抵抗７２と並列接続されるダイオード７３を備え、前記ダイオード７３は陽極が直流電源１０の負極に接続され、前記抵抗７１・７２の接続交点に接続されるコンデンサ７４を備え、前記コンデンサ７４に陽極が接続されるダイオード７５を備え、前記コンデンサ７４とダイオード７５の接続交点に陰極が接続されるダイオード７６を備え、前記ダイオード７６の陽極は直流電源１０の負極に接続され、前記ダイオード７５の陰極に接続される抵抗７７を備え、前記抵抗７７の一方は直流電源１０の負極に接続され、前記抵抗７７と並列に接続されるコンデンサ７８を備えた回路において、
前記負側電圧検出回路５１の前記コンデンサ６８と並列に陽極側が前記直流電源１０の負極に接続するツェナーダイオード６９を備えたことを特徴とする。
【００１１】
説明を補足する。図１装置は負側電圧検出回路５１のコンデンサ６８と並列に陽極側が直流電源１０の負極に接続するツェナーダイオード６９を備え、このときのツェナー電圧は蛍光ランプ３４が通常のときはクリップせずに、両側エミッタレスのときはクリップする電圧に設定する。
この回路において、蛍光ランプ３４が両側エミッタレスの状態のときは、負側電圧検出回路５１のコンデンサ６８両端電圧はツェナーダイオード６９によりクリップされる。このため負側電圧検出回路５１のコンデンサ６８両端電圧は、正側電圧検出回路５２のコンデンサ７８両端電圧よりも低くなる。このように負側電圧検出回路５１のコンデンサ６８両端電圧と正側電圧検出回路５２のコンデンサ７８両端電圧に差が生じるため差動増幅回路８０は信号を出力し、制御回路２０は、この信号を受けインバータの発振を停止させる。従って、蛍光ランプ３４が両側エミッタレスとなってもインバータ及び蛍光ランプ３４を保護することができる。
【００１２】
【発明の効果】
本発明によれば管電圧非対称検知により蛍光ランプが片側エミッタレス状態の時は確実に検知でき、さらに両側エミッタレス状態の時も管電圧検出できる。これにより、蛍光ランプが寿命末期になると確実にインバータの保護及び蛍光ランプの保護をすることができる。
特に両側エミッタレス状態の時も管電圧非対称検知の機能が働くために、その分だけ共用化なされ装置が簡単安価となる。
【図面の簡単な説明】
【図１】本発明装置の回路図である。
【図２】従来装置の回路図である。
【図３】蛍光ランプの管電圧波形の各種態様を示す図である。
【符号の説明】
１０：直流電源
２０：制御回路
３１：コンデンサ
３２：バラスト用インダクタ
３３：共振用コンデンサ
３４：蛍光ランプ
４１・４２：スイッチング素子
５１：負側電圧検出回路
５２：正側電圧検出回路
８０：差動増幅回路
【図１】
2004165106.tif 000003
【図２】
2004165106.tif 000004
【図３】
2004165106.tif 000005